(57)【要約】【課題】小動物侵入防止対策の信頼度向上を図るとともに、小動物侵入防止剤の取付作業にかかる作業時間を短縮することができ、取付作業にかかる作業効率の向上を図ること。【解決手段】表面に凹凸を備え、加えられた外力に応じて変形するとともに変形した形状を維持する可撓性を有する材料を用いて形成された粘性流体保持部１１０と、粘性流体保持部１１０に設けられて紐形状をなす取付部１２０と、を備えた粘性流体取付具１００を構成した。これにより、硬化する前の小動物侵入防止剤を硬化するまで一定の位置において確実に保持することができる。【選択図】図１
2018082546.tif 000002
【特許請求の範囲】
【請求項１】
表面に凹凸を備え、加えられた外力に応じて変形するとともに変形した形状を維持する可撓性を有する材料を用いて形成された粘性流体保持部と、
前記粘性流体保持部に設けられて紐形状をなす取付部と、
を備えたことを特徴とする粘性流体取付具。
【請求項２】
前記粘性流体保持部は、表面に起毛を備えていることを特徴とする請求項１に記載の粘性流体取付具。
【請求項３】
前記粘性流体保持部は、団塊形状に成形したモール部材によって形成されていることを特徴とする請求項１または２に記載の粘性流体取付具。
【請求項４】
前記粘性流体保持部は、中心部分から外方に突出する複数の突起部を備えていることを特徴とする請求項１〜３のいずれか一つに記載の粘性流体取付具。
【請求項５】
前記取付部は、前記粘性流体保持部を中心として放射状に設けられていることを特徴とする請求項１〜４のいずれか一つに記載の粘性流体取付具。
【請求項６】
前記取付部は、加えられた引っ張り力に対して伸張し、当該引っ張り力が解放された場合に元の形状に復帰する伸縮性を有する材料を用いて形成されていることを特徴とする請求項１〜５のいずれか一つに記載の粘性流体取付具。
【発明の詳細な説明】
【技術分野】
【０００１】
この発明は、壁や天井などに粘土状の小動物侵入防止剤を取り付ける作業に用いる粘性流体取付具に関する。
【背景技術】
【０００２】
変電所などの電気用施設において電力ケーブルや制御ケーブルを屋外から屋内に引き込む場合や、これらのケーブルを制御盤のケース内に引き込む場合、電気用施設の建屋や制御盤のケースの壁や天井に貫通孔を設け、当該貫通孔を経由するようにしてこれらのケーブルを引き回す。このとき、ケーブルと貫通孔の周縁との間の隙間に粘土状の小動物侵入防止剤を取り付けて当該隙間を埋めることによって、ネズミなどの小動物が貫通孔を介して電気用施設内あるいは制御盤のケース内に侵入することを防止している。
【０００３】
関連する技術として、具体的には、従来、たとえば、複数のボード状部材によって一連の壁を形成し、一部のボード状部材を取り外すことによりケーブルを挿入する挿入口を設け、ケーブルを挿入しない部分には当該挿入口を閉塞部材によって閉塞するようにした技術があった（たとえば、下記特許文献１を参照。）。
【先行技術文献】
【特許文献】
【０００４】
【特許文献１】特開２０１２−１９１６８３号公報
【発明の概要】
【発明が解決しようとする課題】
【０００５】
しかしながら、上述した従来の技術は、水平に敷設されているケーブルの下側部分や天井部分など、ケーブルを引き回す貫通孔の位置によっては、小動物侵入防止剤が硬化する前に、当該小動物侵入防止剤が自重に耐えられずに剥離して落下してしまうことがあった。このように小動物侵入防止剤が落下した部分は、小動物侵入防止剤を再度取り付けても当該小動物侵入防止剤が再度落下してしまうことがあり、貫通孔を完全に塞ぐまでに長い作業時間がかかるという問題があった。
【０００６】
この発明は、上述した従来技術による問題点を解消するため、小動物侵入防止対策の信頼度向上を図るとともに、小動物侵入防止剤の取付作業にかかる作業時間を短縮することができ、取付作業にかかる作業効率の向上を図ることができる粘性流体取付具を提供することを目的とする。
【課題を解決するための手段】
【０００７】
上述した課題を解決し、目的を達成するため、この発明にかかる粘性流体取付具は、表面に凹凸を備え、加えられた外力に応じて変形するとともに変形した形状を維持する可撓性を有する材料を用いて形成された粘性流体保持部と、前記粘性流体保持部に設けられて紐形状をなす取付部と、を備えたことを特徴とする。
【０００８】
また、この発明にかかる粘性流体取付具は、上記の発明において、前記粘性流体保持部が、表面に起毛を備えていることを特徴とする。
【０００９】
また、この発明にかかる粘性流体取付具は、上記の発明において、前記粘性流体保持部が、団塊形状に成形したモール部材によって形成されていることを特徴とする。
【００１０】
また、この発明にかかる粘性流体取付具は、上記の発明において、前記粘性流体保持部が、中心部分から外方に突出する複数の突起部を備えていることを特徴とする。
【００１１】
また、この発明にかかる粘性流体取付具は、上記の発明において、前記取付部が、前記粘性流体保持部を中心として放射状に設けられていることを特徴とする。
【００１２】
また、この発明にかかる粘性流体取付具は、上記の発明において、前記取付部が、加えられた引っ張り力に対して伸張し、当該引っ張り力が解放された場合に元の形状に復帰する伸縮性を有する材料を用いて形成されていることを特徴とする。
【発明の効果】
【００１３】
この発明にかかる粘性流体取付具によれば、小動物侵入防止対策の信頼度向上を図るとともに、小動物侵入防止剤の取付作業にかかる作業時間を短縮することができ、取付作業にかかる作業効率の向上を図ることができるという効果を奏する。
【図面の簡単な説明】
【００１４】
【図１】この発明にかかる実施の形態の粘性流体取付具の構成を示す説明図である。
【図２】粘性流体取付具を用いた小動物侵入防止剤の取付手順を示す説明図（その１）である。
【図３】粘性流体取付具を用いた小動物侵入防止剤の取付手順を示す説明図（その２）である。
【図４】粘性流体取付具を用いた小動物侵入防止剤の取付手順を示す説明図（その３）である。
【発明を実施するための形態】
【００１５】
以下に添付図面を参照して、この発明にかかる粘性流体取付具の好適な実施の形態を詳細に説明する。
【００１６】
（粘性流体取付具の構成）
まず、この発明にかかる実施の形態の粘性流体取付具の構成について説明する。この発明にかかる実施の形態の粘性流体取付具は、壁や天井に設けられた貫通孔を塞ぐ際に用いる小動物侵入防止剤（ラピッチ）などのように、経時により硬化（固化）する粘性流体を取り付ける際に用いる。具体的に、粘性流体取付具は、たとえば、粘土状の小動物侵入防止剤を取り付ける際に用いることができる。
【００１７】
図１は、この発明にかかる実施の形態の粘性流体取付具の構成を示す説明図である。図１において、この発明にかかる実施の形態の粘性流体取付具１００は、粘性流体保持部１１０と、取付部１２０と、を備える。粘性流体保持部１１０は、表面に凹凸を備えている。これにより、小動物侵入防止剤を保持することができる。粘性流体保持部１１０における表面の凹凸は、たとえば、表面を起毛させる、あるいは、起毛した材料を表面に設けることによって実現することができる。
【００１８】
粘性流体保持部１１０は、加えられた外力に応じて変形するとともに変形した形状を維持する可撓性を有する材料を用いて形成されている。これにより、粘性流体取付具１００の取付位置の形状に応じて粘性流体取付具１００の形状を調整することができる。可撓性を有する材料を用いて粘性流体保持部１１０を形成することにより、小動物侵入防止剤を取り付ける取付位置の形状に応じて粘性流体保持部１１０を変形させることができる。
【００１９】
粘性流体保持部１１０は、中心部分から外方に突出する複数の突起部１１１を備えている。可撓性を有する材料を用いて、中心部分から外方に突出する複数の突起部１１１を備えた形状とすることにより、小動物侵入防止剤の取付位置が狭いあるいは小さい隙間であっても、当該隙間に突起部１１１を差し込むことができるように、当該取付位置の形状に応じて粘性流体保持部１１０を変形させることができる。
【００２０】
また、複数の突起部１１１が中心部分において連結されており中央部分に環がない形状とすることにより、小動物侵入防止剤が環の部分から落下することを防止し、小動物侵入防止剤を安定して保持することができる。また、複数の突起部１１１が中心部分において連結されているため、強度を高め、小動物侵入防止剤を安定して保持することができる。
【００２１】
具体的に、粘性流体保持部１１０は、たとえば、団塊形状に成形したモール部材によって形成することができる。モール部材は、針金などのように細長く加工した金属製の芯材の表面（周囲）に、細かい毛（起毛）を設けることによって形成されている。モールを団塊形状に成形することによって粘性流体保持部１１０を形成することにより、粘性流体保持部１１０を容易に製造することができる。また、針金の径を調整することにより、人力で容易に変形させることができる、使い勝手のよい粘性流体保持部１１０を安価に製造することができる。
【００２２】
また、モール部材を団塊形状に成形することにより、単一の貫通孔にケーブルが複数本挿入されている状況においても、粘性流体保持部１１０を任意の形状に変形させることができる（図２を参照）。これにより、小動物侵入防止剤を安定して保持することができる。
【００２３】
モール部材を成形することにより形成される粘性流体保持部１１０は、突起部１１１の先端部分１１１ａを輪にしてもよい。これにより、粘性流体保持部１１０による小動物侵入防止剤の保持力を高めることができる。また、これにより、モール部材が表面に備える起毛と小動物侵入防止剤とが絡み合いやすくなるので、粘性流体保持部１１０による小動物侵入防止剤の保持力を高めることができる。
【００２４】
取付部１２０は、粘性流体保持部１１０を中心として放射状に複数設けられている。取付部１２０を粘性流体保持部１１０を中心として放射状に設けることにより、粘性流体取付具１００をケーブルに取り付ける際に、粘性流体保持部１１０に対して均等な引っ張り力をかけることができる。
【００２５】
取付部１２０は、柔軟性を有する細長い紐状の部材によって実現することができる。取付部１２０は、一端が粘性流体保持部１１０に設けられ、他端が自由端とされた紐状の部材によって実現することができる。取付部１２０の他端は、カットされていてもよく、輪になっていてもよい。
【００２６】
取付部１２０は、ケーブルに巻き付けたり、巻き付けた状態で縛ったりすることができる程度の柔軟性を有する。取付部１２０は、具体的には、たとえば、ゴム製のバンド、ビニールやポリエチレンなどの柔軟性を備えた合成樹脂を用いて形成される紐、あるいは、針金などによって実現することができる。柔軟性を有する細長い紐状の部材によって取付部１２０を実現することにより、取付部１２０をケーブルに巻き付けたり縛りつけたりして、粘性流体取付具１００を取り付けることができる。
【００２７】
取付部１２０は、加えられた引っ張り力に対して伸張し、当該引っ張り力が解放された場合に元の形状に復帰（伸縮）する伸縮性を有していることが好ましい。これにより、取付部１２０を伸張させた状態でケーブルに取り付けると、取付部１２０の伸縮性により取付部１２０が粘性流体保持部１１０とケーブルとの間に張り渡され、取付部１２０にテンションがかかるため、粘性流体取付具１００がケーブルから滑り落ちることを防止できる。
【００２８】
取付部１２０は、表面の摩擦係数が所定以上であることが好ましい。取付部１２０は、具体的には、たとえば、ゴムなどの材料を用いて形成することが好ましい。あるいは、取付部１２０は、具体的には、ゴムやポリエチレンの被膜を表面に設けた針金によって形成してもよい。これにより、ケーブルに巻き付けた状態においては、取付部１２０とケーブルとの間に生じる摩擦によってケーブルに取り付けた粘性流体取付具１００をケーブルから滑り落ちにくくすることができる。
【００２９】
取付部１２０は、断面が平たい扁平形状であることが好ましい。これにより、ケーブルとの接触面積を多くし、取付部１２０とケーブルとの間に生じる摩擦を大きくすることができ、取付部１２０とケーブルとの間に生じる摩擦によってケーブルに取り付けた粘性流体取付具１００をケーブルから滑り落ちにくくすることができる。
【００３０】
（粘性流体取付具１００を用いた小動物侵入防止剤の取付手順）
つぎに、この発明にかかる実施の形態の粘性流体取付具１００を用いた小動物侵入防止剤の取付手順について説明する。図２〜図４は、粘性流体取付具１００を用いた小動物侵入防止剤の取付手順を示す説明図である。
【００３１】
図２においては、小動物侵入防止剤の取付箇所を示している。図２に示すように、小動物侵入防止剤は、たとえば、電力ケーブルや制御ケーブルなどのケーブル２０１を屋外から電気用施設の建屋内に引き込むために当該電気用施設の建屋の壁２０２に設けられた貫通孔２０３を塞ぐことを目的として、当該貫通孔２０３に充填される。
【００３２】
貫通孔２０３を貫通する複数のケーブル２０１は、貫通孔２０３内において、ケーブル２０１の外表面どうしが接触している場合もあり離れている場合もある。ケーブル２０１の径は当該ケーブル２０１に通電される電力などによって定められ、径が大きいケーブル２０１の場合、外表面どうしが離れている複数のケーブル２０１が接触するようにひとまとめにすることは、人力では難しい場合がある。また、同様に、ケーブル２０１が貫通孔２０３内における上の方に集中し、貫通孔２０３における下方部分が空いている場合がある。
【００３３】
図３においては、貫通孔２０３を貫通する複数のケーブル２０１に、粘性流体取付具１００を取り付けた状態を示している。図３に示すように、粘性流体取付具１００は、小動物侵入防止剤を充填する部分に位置するように、ケーブル２０１に取り付ける。小動物侵入防止剤は、経時により硬化（固化）する。
【００３４】
小動物侵入防止剤は、硬化するまでの間は流動性を示す粘性流体であるため、小動物侵入防止剤の取付位置が壁２０２や天井などに設けられた貫通孔２０３である場合、小動物侵入防止剤の自重によって鉛直方向下側へ流動しやすい。このため、図２に示すように貫通孔２０３の下方に隙間が多い場合は、図３のように、粘性流体保持部１１０がケーブル２０１の下側に位置するようにして粘性流体取付具１００を取り付けることが好ましい。
【００３５】
粘性流体取付具１００は、小動物侵入防止剤を取り付ける１つの取付位置に対して複数取り付けてもよい。具体的には、たとえば、隙間が大きく大量の小動物侵入防止剤を取り付ける場合などに際しては、１つの取付位置に対して複数の粘性流体取付具１００を取り付けてもよい。
【００３６】
粘性流体取付具１００は、取付部１２０をケーブル２０１に巻き付ける、あるいは、縛り付けることによって当該ケーブル２０１に固定することができる。取付部１２０は、上記のように、柔軟性を有しているためケーブル２０１に絡めるようにして巻き付けることができる。これにより、粘性流体取付具１００を所望の位置に確実に取り付けることができる。
【００３７】
取付部１２０は、粘性流体保持部１１０を中心として放射状に設けられているため、粘性流体保持部１１０に対して均等に引っ張り力をかけることができる。これによって、ケーブル２０１に取り付けられた粘性流体取付具１００に小動物侵入防止剤を取り付けることによって粘性流体取付具１００の重量が大きくなった場合にも、取付部１２０に加えられる粘性流体取付具１００を所望の位置に確実に取り付けることができる。
【００３８】
さらに、取付部１２０は、ゴムなどの弾性材料を用いて形成することにより伸縮性を示し、粘性流体保持部１１０を中心として放射状に設けられているため、粘性流体保持部１１０に対して均等に引っ張り力をかけることができる。このため、取付部１２０を伸張させた状態でケーブル２０１に取り付けけると、取付部１２０の伸縮性により取付部１２０が粘性流体保持部１１０とケーブル２０１との間に張り渡され、取付部１２０にテンションがかかる。これにより、粘性流体取付具１００を所望の位置に確実に取り付けることができ、粘性流体取付具１００がケーブル２０１から滑り落ちることを防止できる。
【００３９】
図４においては、図３に示した状態の貫通孔２０３を塞ぐようにして小動物侵入防止剤を取り付けた状態を示している。図４に示すように、ケーブル２０１に粘性流体取付具１００を取り付けてから、当該粘性流体取付具１００を覆うようにして小動物侵入防止剤４０１を取り付けて、壁２０２に設けられた貫通孔２０３を塞ぐ。その後、小動物侵入防止剤４０１が硬化（固化）することにより、貫通孔２０３を完全に塞ぐことができる。
【００４０】
以上説明したように、この発明にかかる実施の形態の粘性流体取付具１００は、表面に凹凸を備え、加えられた外力に応じて変形するとともに変形した形状を維持する可撓性を有する材料を用いて形成された粘性流体保持部１１０と、粘性流体保持部１１０に設けられて紐形状をなす取付部１２０と、を備えたことを特徴としている。
【００４１】
この発明にかかる実施の形態の粘性流体取付具１００によれば、小動物侵入防止剤４０１の取付位置にかかわらず、小動物侵入防止剤４０１などの粘性流体が硬化する前に自重により剥離または脱落することを防止し、硬化する前の小動物侵入防止剤４０１を硬化するまで一定の位置において確実に保持することができる。
【００４２】
また、この発明にかかる実施の形態の粘性流体取付具１００によれば、取付部１２０によって粘性流体取付具１００をケーブル２０１に直接固定することにより、小動物侵入防止剤４０１が硬化した後は、ケーブル２０１に固定された粘性流体取付具１００を芯として小動物侵入防止剤４０１を保持することができる。
【００４３】
これにより、小動物侵入防止剤４０１が硬化するまで作業者が監視したり、小動物侵入防止剤４０１が脱落することなく硬化したか、あるいは、脱落していないかを作業後に確認したりするなどの作業に、作業者を煩わせることなく、小動物侵入防止剤４０１を所望の位置において確実に硬化させて貫通孔２０３を塞ぐことができる。
【００４４】
このように、この発明にかかる実施の形態の粘性流体取付具１００によれば、小動物侵入防止対策の信頼度向上を図るとともに、小動物侵入防止剤４０１の取付作業にかかる作業時間を短縮することができ、取付作業にかかる作業効率の向上を図ることができる。
【００４５】
また、この発明にかかる実施の形態の粘性流体取付具１００は、粘性流体保持部１１０が、表面に起毛を備えていることを特徴としている。
【００４６】
この発明にかかる実施の形態の粘性流体取付具１００によれば、粘性流体保持部１１０の表面の起毛に小動物侵入防止剤４０１を絡みつかせ、小動物侵入防止剤４０１が剥離または脱落することを防止し、所望の位置において小動物侵入防止剤４０１を確実に硬化させて貫通孔２０３を塞ぐことができる。これにより、小動物侵入防止対策の一層の信頼度向上を図ることができる。
【００４７】
また、この発明にかかる実施の形態の粘性流体取付具１００は、粘性流体保持部１１０が、団塊形状に成形したモール部材によって形成されていることを特徴としている。
【００４８】
この発明にかかる実施の形態の粘性流体取付具１００によれば、人力で容易に変形させることができるので、作業者が現場において、ケーブル２０１や貫通孔２０３などの状況に応じて粘性流体保持部１１０の形状を調整することにより、所望の位置において小動物侵入防止剤４０１を確実に硬化させて貫通孔２０３を確実に塞ぐことができる。また、団塊形状に成形したモール部材によって粘性流体保持部１１０を実現することにより、粘性流体保持部１１０を安価かつ容易に製造することができる。
【００４９】
また、この発明にかかる実施の形態の粘性流体取付具１００は、粘性流体保持部１１０が、中心部分から外方に突出する複数の突起部１１１を備えていることを特徴としている。
【００５０】
この発明にかかる実施の形態の粘性流体取付具１００によれば、複数の突起部１１１が中心部分において連結しているため、小動物侵入防止剤４０１を安定して保持することができる。これにより、作業者を煩わせることなく、小動物侵入防止剤４０１を所望の位置において確実に硬化させて貫通孔２０３を塞ぐことができる。
【００５１】
また、この発明にかかる実施の形態の粘性流体取付具１００は、取付部１２０が、前記粘性流体保持部１１０を中心として放射状に設けられていることを特徴としている。
【００５２】
この発明にかかる実施の形態の粘性流体取付具１００によれば、粘性流体取付具１００をケーブル２０１に取り付ける際に、粘性流体保持部１１０に対して均等な引っ張り力をかけることができる。これにより、小動物侵入防止剤４０１が硬化するまでの間に粘性流体取付具１００の位置がずれてしまうことを防止し、所望の位置において小動物侵入防止剤４０１を確実に硬化させて貫通孔２０３を確実に塞ぐことができる。
【００５３】
また、この発明にかかる実施の形態の粘性流体取付具１００は、取付部１２０が、加えられた引っ張り力に対して伸張し、当該引っ張り力が解放された場合に元の形状に復帰する伸縮性を有する材料を用いて形成されていることを特徴としている。
【００５４】
この発明にかかる実施の形態の粘性流体取付具１００によれば、取付部１２０の伸縮性によって取付部１２０を粘性流体保持部１１０とケーブル２０１との間に張り渡すことができ、取付部１２０にテンションをかけることができるため、粘性流体取付具１００がケーブル２０１から滑り落ちることを防止できる。これにより、小動物侵入防止剤４０１が硬化するまでの間に粘性流体取付具１００の位置がずれてしまうことを防止し、所望の位置において小動物侵入防止剤４０１を確実に硬化させて貫通孔２０３を確実に塞ぐことができる。
【産業上の利用可能性】
【００５５】
以上のように、この発明にかかる粘性流体取付具は、粘性流体を取り付ける作業に用いる粘性流体取付具に有用であり、特に、壁や天井などに粘土状の小動物侵入防止剤を取り付ける作業に用いる粘性流体取付具に適している。
【符号の説明】
【００５６】
１００  粘性流体取付具
１１１  突起部
１２０  取付部
２０１  ケーブル
２０２  建屋の壁
２０３  貫通孔
４０１  小動物侵入防止剤
【図１】
2018082546.tif 000003
【図２】
2018082546.tif 000004
【図３】
2018082546.tif 000005
【図４】
2018082546.tif 000006